(57)【要約】 【課題】  エンドユーザーが、プッシュ・プル仕様と、片面的仕様（プル仕様、又はプッシュ仕様）とを、自由に選択することができること。【解決手段】  押圧片によって移動可能な第１摺動体と第２摺動体を錠箱内に設け、スライド片４０Ａを所定位置まで移動させると、該スライド片４０Ａの後壁が第２摺動体４７の先端部に対向して該第２摺動体の前進が阻止され、本来的なプッシュ・プル仕様からプル仕様、又はプッシュ仕様というような片面的仕様態様に切り替わることを特徴とするプシュ・プル錠。【選択図】  図８
2007032049.tif 000002
【特許請求の範囲】
【請求項１】
押圧片によって移動可能な第１摺動体と第２摺動体を錠箱内に設け、スライド片４０Ａを所定位置まで移動させると、該スライド片４０Ａの後壁が第２摺動体４７の先端部に対向して該第２摺動体の前進が阻止され、本来的なプッシュ・プル仕様からプル仕様、又はプッシュ仕様というような片面的仕様態様に切り替わることを特徴とするプシュ・プル錠。
【請求項２】
請求項１に於いて、スライド片４０Ａは、後壁８４ａが第２摺動体４７の先端部に対向し得る長杆状部分８４を有し、また、該長杆状部分８４の側壁８４ｂに圧接するクリックボール８７を有するストッパー部材８２が枠状支持片８１に組み込まれていることを特徴とするプシュ・プル錠。
【請求項３】
ハンドルをプル又はプッシュすると、錠箱６Ａ内に突出するハンドル側の揺動片４６Ａの駆動力により、かつ、付勢手段４０Ａの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠に於いて、前記錠箱６Ａの前板７Ａの縦長嵌合孔１４Ａに嵌合突起４３Ａが位置するように錠箱内に固定した枠状支持片８１を介してスライド片４０Ｂを上下動自在に設け、該スライド片４０Ｂを所定位置まで移動させると、スライド片４０Ｂの後壁が同調部材３９Ａの先端部に対向して、該同調部材３９Ａの前進が阻止され、本来的なプッシュ・プル仕様からプル仕様、又はプッシュ仕様というような片面的仕様態様に切り替わることを特徴とするプシュ・プル錠。
【請求項４】
請求項３に於いて、スライド片４０Ｂは、後壁８４ａが第２摺動体４７の先端部に対向し得る長杆状部分８４を有し、また、該長杆状部分８４の側壁８４ｂに圧接するクリックボール８７を有するストッパー部材８２が枠状支持片８１に組み込まれていることを特徴とするプシュ・プル錠。
【発明の詳細な説明】
【技術分野】
【０００１】
本発明は、プシュ・プル錠に関し、特に扉の開扉時に内外の操作ハンドルをそれぞれプル又はプッシュすると、錠箱内のラッチの係止解除機構により、ラッチ用施錠片がロック解除の方向へ回転するプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える回動ボタンの操作部を操作すると、プッシュ・プル仕様から片面的仕様（プル仕様、又はプッシュ仕様）へと切り換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【０００５】
ここで、後述する本願発明との対比上、特許文献１に記載の発明を、図１乃至図７を参照にして説明する。なお、特許文献１には、その構成及び作用が詳細に記載されているが、公報を援用することは禁止されているので、ここで、第１実施例について説明する。
【０００６】
（ａ）従来の第１実施例
図１乃至図７は、特許文献１の第１実施例を示す各説明図である。まず、図１は発明を構成する環境全体を示す。この図１に於いて、Ｘは錠箱の上部空間に配設されたラッチの係止解除機構、Ｙは錠箱の下部空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【０００７】
前記錠箱６には、前板７に対して回動可能に設けられた回動ボタン４０を回動操作すると、プッシュ・プル錠におけるラッチ施錠片の解除態様が、プッシュ・プル仕様又はプル仕様のいずれかに切り替わるラッチの係止解除機構Ｘと、開扉の時に不注意によりラッチを施錠した状態で扉を閉めた時にラッチの施錠状態が自動的に解錠状態となるサムターン錠の締め出し防止装置Ｙとが設けられている。
【０００８】
（ｂ）図２−錠箱６の構成
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成された開口窓である。
【０００９】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成するラッチ施錠片（第１施錠片）６０用の第１受入れ孔１０が形成され、一方、下壁８ｂには、第２施錠片７１用の第２受入れ孔１１が形成されている。また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１０】
図２に戻って、１４は前板７に形成された回動ボタン用の支持部（嵌合孔）で、この嵌合孔１４の後方には、前板７に所要間隔離間して垂直状態の受け片１５が突設されている。
【００１１】
また、１６は前記受け片１５を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー用の下方水平案内部である。
【００１２】
また、１８はサムターンダルマ用軸孔、２０は錠箱６の上部側に形成された操作ハンドルに連動する、或いは操作ハンドルの水平軸に一体的に固定された押圧片４８，４９用の矩形状窓孔である。
【００１３】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００１４】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００１５】
また、３３はラッチの作動杆、３４は作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００１６】
（ｄ）回動ボタンなどー図４
次に、図４は主要部材を示す。４０は前板７に対して回動可能に設けられた回動ボタンである。４１は周胴部で、この周胴部４１は錠箱６の裏板７ａの内壁面と受け片１５の空間部に位置する。４２は周胴部４１の外周壁面に半径方向に突設された羽状の１又は２以上のストッパー部で、このストッパー部４２は、回動ボタン４０の回転位置如何によって後述する第２摺動体４７の前進を規制する機能を果す。４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。４４は周胴部４１の後面に形成されたバネ支持部で、このバネ支持部４４は凹所状に形成されている。
【００１７】
また、４５はバネ支持部４４と受け片１５との間に設けられた押圧バネで、この押圧バネ４５は周胴部４１の前面を前板７の内壁面に押し付ける。
【００１８】
（ｅ）摺動体４６．４７などー図５
次に、図５は錠箱５の上方の収納空間に水平状態に配設されたプッシュ・プル用摺動体４６，４７と摺動体用付勢バネ５２を示す。なお、ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする（図１参照）。
【００１９】
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー５５用の切欠部５１が形成されている。さらに、前記前壁部４６ｄは摺動体用付勢バネ５２の一端部を受ける機能や受け片１５と当接する機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００２０】
次に、内側の第２摺動体４７は、横長のコ時型形状に形成され、回動ボタン４０及び上下の押圧片４８，４９にそれぞれ関連付けられて（回動ボタン４０のストッパー部４２に対向可能、押圧片４８，４９に係合する意味）外枠第１摺動体４６内に水平動自在に設けられている。
【００２１】
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは回動ボタン４０のストッパー４２と関係する先端部である。
【００２２】
前記内側の上下壁４７ａ，４７ｂの先端部寄りの部位には、逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端部を受ける。したがって、摺動体用付勢バネ５２は、第１及び第２摺動体４６，４７内に組み込まれている。
【００２３】
（ｆ）揺動レバー５５など−図１
次に図１を参照にして揺動レバー５５等について説明する。５５は第２固定軸２２に軸支された揺動レバーである。この揺動レバー５５の上方のアーム部５６は、第１及び第２摺動体４６，４７の各切欠部５１，５４に係合している。一方、アーム部５６に連設する下方部分にはバネ受け部５７が形成されている。前記アーム部５６の先端部には係合突起５６ａが設けられ、この係合突起５６ａは、ラッチ用第１の施錠片６０の上辺部分と常に係合している。
【００２４】
また、５８は第２固定軸２２に巻装された揺動レバー用バネで、このバネ５８は揺動レバー５５のアーム部５６が常時第１及び第２摺動体４６，４７の各切欠部５１，５４に係合する方向へと付勢する。
【００２５】
また、６０は第１固定軸２１に軸支された長板状の第１の施錠片で、この第１の施錠片の先端部側には、ラッチ枠部８の第１受入れ孔１０から入り込んでラッチ３０の突起部３０ｂと係脱する幅広の第１係合部６１が設けられている。一方、第１の施錠片の後端部側には、第１摺動体４６の後端下部と当接する傾斜状の第２係合部６２が設けられている。
【００２６】
また、６３は第１固定軸２１に中央部が巻装された第１施錠片用バネで、この第１施錠片用バネ６３は、前記第１係合部６１がラッチ３０の突起部３０ｂに係合する方向へ常時付勢する。
【００２７】
（ｇ）作用の１−図６
前述したように、この実施例では、前板７の手前から図示しないドライバーの先を溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【００２８】
まず、図６は回動ボタン４０の羽状ストッパー部４２，４２が水平状態の場合、当該操作ハンドル（内外の操作ハンドル如何を問わない）を「プル（引く操作）」又は「プッシュ（押す操作）」した場合である。この場合プッシュ・プル錠は、本来的意味でのプッシュ・プル仕様である。
【００２９】
すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００３０】
図１、図６に於いて、回動ボタン４０の羽状ストッパー部４２，４２が水平状態である。そこで、説明の便宜上、第１摺動体４６がプル用として機能した場合（プル用摺動体）、一方、第２摺動体４７がプッシュ用として機能した場合（プッシュ用摺動体）をその作用の一例として説明する。
【００３１】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００３２】
また、錠箱６の窓孔２０からは、内外の操作ハンドルの上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００３３】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００３４】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００３５】
一方、内側操作ハンドルのプシュ時には、今度は内側の第２摺動体４７が下方の押圧片４９に押されて図６矢印Ｂの方向に移動する。
【００３６】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００３７】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部４７ｅ，４７ｅは、回動ボタン４０の羽状ストッパー部４２，４２の上下にそれぞれ入り込む。
【００３８】
（ｈ）作用の２−図７
これに対して、図７は回動ボタン４０の羽状ストッパー部４２，４２が垂直状態である。この場合には、プッシュ・プル錠におけるラッチ施錠片６０の解除態様が、プッシュ・プル仕様から、いずれか一方の仕様（例えばプル仕様）に切り替わる。
【００３９】
この実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動ポタン４０の羽状ストッパー部４２，４２に阻まれるので、プッシュ操作でのラッチ施錠片６０の係合解除は不可ということになる。
【００４０】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様）ということになる。なお、また、締め出し防止装置Ｙについての説明は割愛する。
【特許文献１】特開２００４−２１１５２９号公報
【特許文献２】特開２００４−２２５３８４号公報
【特許文献３】特開２００２−１２９７９６号公報
【発明の開示】
【発明が解決しようとする課題】
【００４１】
本発明の第１の目的は、エンドユーザーが、プッシュ・プル仕様と、片面的仕様（プル仕様、又はプッシュ仕様）とを、自由に選択することができること。第２の目的は、規制対象の摺動体（第１実施例）又は同調部材（第２実施例）の所定方向への移動を確実に阻止することができると共に、スライド片を安定的に上下動させ、かつ、所定位置に停止させることができること。第３の目的は、摺動体や同調部材の先端部の形状に関する設計の自由度を高めること。第４の目的は、実施例によっては、指先で片面的仕様態様に変換することができることである。
【課題を解決するための手段】
【００４２】
本発明のプシュ・プル錠は、押圧片によって移動可能な第１摺動体と第２摺動体を錠箱内に設け、スライド片４０Ａを所定位置まで移動させると、該スライド片４０Ａの後壁が第２摺動体４７の先端部に対向して該第２摺動体の前進が阻止され、本来的なプッシュ・プル仕様からプル仕様、又はプッシュ仕様というような片面的仕様態様に切り替わることを特徴とするプシュ・プル錠。
【００４３】
また、本発明のプシュ・プル錠は、ハンドルをプル又はプッシュすると、錠箱６Ａ内に突出するハンドル側の揺動片４６Ａの駆動力により、かつ、付勢手段４０Ａの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠に於いて、前記錠箱６Ａの前板７Ａの縦長嵌合孔１４Ａに嵌合突起４３Ａが位置するように錠箱内に固定した枠状支持片８１を介してスライド片４０Ｂを上下動自在に設け、該スライド片４０Ｂを所定位置まで移動させると、スライド片４０Ｂの後壁が同調部材３９Ａの先端部に対向して、該同調部材３９Ａの前進が阻止され、本来的なプッシュ・プル仕様からプル仕様、又はプッシュ仕様というような片面的仕様態様に切り替わることを特徴とする。
【発明の効果】
【００４４】
以上の説明から明らかなように、本発明にあっては、次に列挙するような効果がある。
（１）請求項１、請求項３に記載の発明は、エンドユーザーが建物の扉の取付け場所を考慮し、プッシュ・プル仕様と、片面的仕様（プル仕様、又はプッシュ仕様）とを、自由に選択することができる。
（２）上記（１）に於いて、錠箱の前板から見えるスライド片を所定位置へと操作するだけで、例えばプッシュ・プル仕様から片面的仕様に、又は片面的仕様から本来的なプッシュ・プル仕様に簡単に切替えることができる。
（３）請求項２、請求項４に記載の発明は、規制対象の摺動体（第１実施例）又は同調部材（第２実施例）の所定方向への移動を確実に阻止することができると共に、スライド片を安定的に上下動させ、かつ、所定位置に停止させることができる。また、スライド片は長杆状部分を有するので、摺動体や同調部材の先端部の形状に関する設計の自由度を高めることができる。
（４）実施例によっては、指先で片面的仕様態様に変換することができる。
【発明を実施するための最良の形態】
【００４５】
まず、図８乃至図１３を参照にして、本発明の第１実施例を説明する。なお、本発明の各実施例の説明に当たって、従来の実施例と同一又は同様（機能が同一）の部分には、同一又は同様の符号を付し、重複する説明を省略する。
この第１実施例が、例えば前記従来の一実施例（公知例）と異なる点は、次の通りである。
【００４６】
（１）従来の仕様変換部材は、操作部としての嵌合突起４３が前板７の嵌合孔１４に回転自在に設けられた回動ボタン４０であるのに対して、この実施例の仕様変換部材４０Ａは、操作部としての嵌合突起４３Ａが前板７Ａの縦長嵌合孔１４Ａに摺動自在に設けられたスライド片であること。しかも、スライド片４０Ａは、操作部４３Ａに連設する長杆状部分（縦長柱）８４を有し、該縦長柱８４の後壁８４ａが第２摺動体４７の先端部４７ｅに対向し得ること。
【００４７】
（２）また、前板７Ａの裏板７ａには、スライド片４０Ａを案内する枠状支持片８１が固定されていること。
【００４８】
（３）さらに、前記枠状支持片８１には、スライド片４０Ａの長杆状部分８４の両側壁８４ｂにそれぞれ圧接するクリックボール８７を有するストッパー部材８２が設けられていることである。
【００４９】
しかして、スライド片４０Ａは、本実施例では、前述した操作部（嵌合突起）４３Ａと、該嵌合突起４３Ａに連設し、かつ、裏板７ａに面接触する縦長フランジ８３と、該縦長フランジ８３に連設すると共に、内側の第２摺動体４７に対してストッパー（移動阻止）機能を発揮することができる長杆状部分８４とを有する。
【００５０】
そして、前記長杆状部分８４の中央部（中央部寄りの部位も含む）には、その後壁（背面）８４ａから正面に向かって（裏板７ａ方向に）第２摺動体４７の下方先端部４７ｅ用の貫通状受け入れ部分８５が形成されている。また、長杆状部分８４の左右の両側壁８４ｂには、上下方向に所要間隔を有して小さな係合凹所８６が複数個（それぞれ２個）形成されている。
【００５１】
一方、前記枠状支持片８１の左右の対向壁部８１ａには、ストッパー部材８２を構成するクリックボール８７と、クリックバネ８８とをそれぞれ嵌め込むための貫通状収納孔８９が形成されている。そして、収納孔８９に組み込まれた前記クリックバネ８８は、該収納孔８９に螺合するオネジ９０で支持され得る。
【００５２】
上記構成に於いて、図１２は図６と同様のプッシュ・プル仕様時の作動状態の説明図である。この場合、長杆状スライド片４０Ａは、例えば下方に位置していることから、第２摺動体４７が上下の押圧片４８，４９にそれぞれ押圧されると、その上方先端部４７ｅはスライド片４０Ａの上面側空間に、一方、下方先端部４７ｅは受け入れ部分８５に入り込むことが可能である。つまり、第２摺動体４７は矢印Ａ方向へ移動可能である。
【００５３】
これに対して、図１３は図７と同様の片面的仕様（例えばプル仕様）時の作動状態の説明図である。この場合、従来の実施例と同様に、嵌合突起４３Ａの工具用溝４３ａを利用して、又は工具が傍にない場合には指を嵌合突起４３Ａの下方に掛けて、スライド片４０Ａを上方に持ち上げる。そうすると、スライド片４０Ａは前板７Ａ、枠状支持片８１及び受け片１５に「３点」で支持された状態で上方に案内される。
【００５４】
そして、縦長嵌合孔１４Ａを形成する上方縁に嵌合突起４３Ａの上面が当たった所定位置にて、ストッパー部材（付勢手段）８２で落下しないように支持される。このように、片面的仕様へと変換する場合、従来は回転タイプであるのに対して、本発明の実施例は、スライドタイプである。したがって、仮にドライバー等の工具が存在しない場合であっても、その場で、しかも指１本で直ちに片面的仕様へと簡単に変換可能である。
【００５５】
なお、細部的事項であるが、第１実施例に於いて、外側の第１摺動体４６の先端部の長さ及びラッチ施錠片６０の第１係合部６１の形状は、スライド片４０Ａと衝突しないように適宜に設計変更されている。
【００５６】
次に、図１４乃至図１９を参照にして、本発明の第２実施例を説明する。第２実施例は、特許文献２、特許文献３に記載の錠前に本発明を適用したものである。したがって、第２実施例は、錠前５Ａの構造が相違する点及びスライド片４０Ｂが多少シンプルな構成となっている点を除き、第１実施例と発明の本質的事項は同一である。
【００５７】
なお、第１実施例と同一の部分には同一の符号を付して重複する説明を割愛する。また、第２実施例の錠前５Ａの構成・作用を説明するにあたって、特許文献２、特許文献３と同一の部分には、同様の符号（例えばＡを付加）を用いることにする。
【００５８】
したがって、１Ａは戸枠、２Ａは受け金具、３Ａは縁、４Ａは扉、５Ａは錠前（プッシュ・プル錠）、７Ａは前板等である。また、１６Ａは揺動片（押圧片）用の窓、３２Ａは可動枠部材、３３Ａはラッチロッド、３４Ａはラッチ用支持ブロック、３５Ａはラッチ等である。さらに、４０Ｂはスライド片、４３Ａは嵌合突起、１４Ａは縦長嵌合孔、８１は枠状支持片等である。
【００５９】
さて、第２実施例の錠前５Ａの錠箱６Ａ内には、プッシュ及びプルの操作が可能な内側ハンドルを操作すると、該ハンドル側の揺動片（押圧片）５４Ａの駆動力によって左右（フロント側又はケースの後壁側）にそれぞれ水平移動する一つの同調部材３９Ａ（枠状摺動部材）と、この同調部材３９Ａが水平動すると、該同調部材の上方に配設された板状係合保持部材４１Ａを介して係合解除の方向（上方方向）に内装ばね４８Ａのバネ力に抗して持ち上げられる可動ストッパー３８Ａと、該可動ストッパー３８Ａによって規制が解消され、かつ、反転式のラッチ３５Ａの回動に伴い、後方配設のばね部材３７Ａのバネ力に抗して錠箱６Ａの後壁側へラッチロッド３３Ａを介して後退する枠状可動枠部材３２Ａが組み込まれている。
【００６０】
前記ラッチ３５Ａの仮施錠時（可動ストッパー３８Ａが上方の内装バネ４８Ａのバネ力により下方に下降している場合）に於いて、同調部材３９Ａは、錠箱Ａ６の下部に左右対称に配設された付勢手段４０Ａ（可動ブロック４０ａ，付勢ばね４０ｂ）の付勢ばね４０ｂのバネ力により、可動枠部材３２Ａに間接的に係合する位置へと自動的に復帰する。この時、前記可動ストッパー３８Ａは下降しており、係合保持部材４１Ａの先端係合部は、逆コ字型状の同調部材３９Ａの上壁面に形成された凹所状の被係合部に係合する。
【００６１】
上記構成に於いて、可動ストッパー３８Ａは、可動枠部材３２Ａに設けた係止部と係脱されると共に、係止部と係合することにより可動枠部材３２Ａの移動を規制してラッチ３５Ａを仮施錠状態にロックする。
【００６２】
したがって、この錠前５Ａは、図示しないハンドルをプル又はプッシュすると、錠箱６Ａ内に突出するハンドル側の揺動片５４Ａの駆動力により、かつ、付勢手段４０Ａの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠である。
【００６３】
そして、本発明は、前記錠箱６Ａの前板７Ａの縦長嵌合孔１４Ａに、枠状支持片８１を介して仕様変換部材（スライド片）４０Ｂを設けている。このスライド片４０Ｂは、前述した同調部材３９Ａの突起状先端部３９ａが一つであることから、第１実施例のスライド片の如く貫通状受け入れ部分８５を有しない点を除き、その余は同一構成である。
【００６４】
したがって、図１９で示すように、スライド片４０Ｂを持ち上げると、前記同調部材３９Ａの前進が阻止され、本来的なプッシュ・プル仕様からプル仕様というような片面的仕様態様に切り替わる。このように錠前の構成を変えても、本発明の本質的事項は左右されない。
【実施例】
【００６５】
第１実施例及び第２実施例に於いて、スライド片４０Ａ，４０Ｂの嵌合突起（操作部）４３Ａには、工具用の溝（プラス溝、マイナス溝）４３ａが形成されているが、この溝４３ａは、発明の本質的事項ではない。その理由は、操作部（嵌合突起）４３Ａに指を掛けることができる実施例の場合には、工具ではなく、直接指先でスライド片４０Ａ，４０Ｂを上下動させることが可能だからである。
【００６６】
また、工具を利用してスライド片４０Ａ，４０Ｂを上げ下げする場合には、前板７Ａに形成した縦長嵌合孔１４Ａの形状を凸型形状にすると、該縦長嵌合孔１４Ａ並びに嵌合突起（操作部）４３Ａの幅や形状を任意に設計変更可能である。
【００６７】
要は、スライド片４０Ａ，４０Ｂは、その操作部４３Ａが前板７Ａの縦長嵌合孔１４Ａに嵌合し、かつ、操作部４３Ａに連設する長杆状部分８４が摺動体或いは同調部材に対向可能であり、スライド片４０Ａ，４０Ｂが所定位置へとスライドした場合には、前記摺動体或いは同調部材が前板７Ａ側に移動できなくなれば良い。
【００６８】
図２０は、第１実施例の長杆状のスライド片４０Ａの長さ、配設位置、移動量、摺動体の位置等を一部設計変更した一例である。この変更例のスライド片４０Ｃは、第２実施例のスライド片４０Ｂと同一構成であり、例えば前板７Ａの上部に形成した縦長嵌合孔１４Ａにその操作部４３Ａが嵌合し、縦長柱８４が錠箱６内に固定した枠状支持片８１を介して上下動自在に設けられている。したがって、スライド片４０Ｃは、先端部４７ｅ用の受け入れ部分８５を有さず、シンプルな形態となっている。
【図面の簡単な説明】
【００６９】
図１乃至図７は、従来の実施例を示す各説明図。図８乃至図１３は、本発明の第１実施例を示す各説明図。図１４乃至図１９は、本発明の第２実施例を示す各説明図。図２０は第１実施例のスライド片の変形例。
【図１】扉の閉戸時における本来的なプッシュ・プル仕様態様を示す概略説明図。
【図２】ケース身を主とした錠箱の説明図。
【図３】ラッチ、ラッチ枠部、作動杆等の説明図。
【図４】回動ボタン等の説明図。
【図５】第１・第２摺動体等の説明図。
【図６】プッシュ・プル仕様時の作動状態の説明図。
【図７】片面的仕様（例えばプル仕様）時の作動状態の説明図。
【図８】本発明の第１実施例を示す図１と同様の概略説明図。
【図９】図８に於いて、主要部の拡大図。
【図１０】主要な部材（スライド片、枠状支持片、ストッパー部材）の分解斜視図。
【図１１】前板、スライド片、摺動体との関係を示す概略説明図。
【図１２】図６と同様のプッシュ・プル仕様時の作動状態の説明図。
【図１３】図７と同様の片面的仕様（例えばプル仕様）時の作動状態の説明図。
【図１４】本発明の第２実施例を示す図１と同様の概略説明図。
【図１５】図９と同様の拡大図。
【図１６】図１０と同様の分解斜視図。
【図１７】図１１と同様の概略説明図。
【図１８】図６と同様のプッシュ・プル仕様時の作動状態の説明図。
【図１９】図７と同様の片面的仕様（例えばプル仕様）時の作動状態の説明図。
【図２０】第１実施例のスライド片の変形例を示す概略説明図。
【符号の説明】
【００７０】
Ｘ…ラッチの係止解除機構、１，１Ａ…戸枠、２，２Ａ…受け金具、３，３Ａ…縁、４，４Ａ…扉、５、５Ａ…錠前（プッシュ・プル錠）、６，６Ａ…錠箱、７，７Ａ…前板、７ａ…裏板、８…ラッチ枠部、９…開口窓、１４…嵌合孔、１４Ａ…縦長嵌合孔、１５…受け片、１６Ａ…揺動片（押圧片）用の窓、２０…窓孔、２１〜２５…固定軸、３０…ラッチ、３２…ラッチバネ、３３…作動杆、３７…係合切欠部、３７ａ…係合面、４０…回動ボタン、４０Ａ，４０Ｂ，４０Ｃ…仕様変換部材（スライド片）、４１…周胴部、４２…ストッパー部、４４…バネ支持部、４５…押圧バネ、４６…第１摺動体、４７…第２摺動体、４８，４９…押圧片、５１，５４…揺動レバー用の切欠部、５５…揺動レバー、５６…アーム部、５８…揺動レバー用バネ、６０…ラッチ用施錠片、６１…第１係合部、６２…第２係合部、６３…施錠片用バネ、４３Ａ…操作部（嵌合突起）、４３ａ…工具用溝、８１…枠状支持片、８２…ストッパー部材、８８…クリックバネ、９０…オネジ、８３…縦長フランジ、８４…縦長柱（長杆状部分）、８９…貫通状収納孔、４７ｅ…摺動体の先端部、８５…貫通状受け入れ部分、８６…小さな係合凹所、３２Ａ…可動枠部材、３３Ａ…ラッチロッド、３４Ａ…ラッチ用支持ブロック、３５Ａ…ラッチ、３８Ａ…可動ストッパー、５４Ａ…揺動片（押圧片）、３９Ａ…同調部材（枠状摺動部材）、３９ａ…突起状先端部、４０Ａ…付勢手段４０Ａ、４０ａ…可動ブロック，４０ｂ…付勢ばね、４１Ａ…係合保持部材。
【図１】
2007032049.tif 000003
【図２】
2007032049.tif 000004
【図３】
2007032049.tif 000005
【図４】
2007032049.tif 000006
【図５】
2007032049.tif 000007
【図６】
2007032049.tif 000008
【図７】
2007032049.tif 000009
【図８】
2007032049.tif 000010
【図９】
2007032049.tif 000011
【図１０】
2007032049.tif 000012
【図１１】
2007032049.tif 000013
【図１２】
2007032049.tif 000014
【図１３】
2007032049.tif 000015
【図１４】
2007032049.tif 000016
【図１５】
2007032049.tif 000017
【図１６】
2007032049.tif 000018
【図１７】
2007032049.tif 000019
【図１８】
2007032049.tif 000020
【図１９】
2007032049.tif 000021
【図２０】
2007032049.tif 000022
【手続補正書】
【提出日】平成17年7月28日(2005.7.28)
【手続補正１】
【補正対象書類名】特許請求の範囲
【補正対象項目名】全文
【補正方法】変更
【補正の内容】
【特許請求の範囲】
【請求項１】
押圧片によって移動可能な第１摺動体と第２摺動体を錠箱内に設け、スライド片を所定位置まで移動させると、該スライド片の後壁が第２摺動体の先端部に対向して該第２摺動体の前進が阻止され、本来的なプッシュ・プル仕様から片面的仕様態様に切り替わることを特徴とするプシュ・プル錠。
【請求項２】
請求項１に於いて、スライド片は、後壁が第２摺動体の先端部に対向し得る長杆状部分を有し、また、該長杆状部分の側壁に圧接するクリックボールを有するストッパー部材が枠状支持片に組み込まれていることを特徴とするプシュ・プル錠。
【請求項３】
ハンドルをプル又はプッシュすると、錠箱内に突出するハンドル側の揺動片の駆動力により、かつ、付勢手段の付勢力に抗して水平移動する同調部材、この同調部材に連動するようにラッチロッドに案内される可動枠部材内に組み込まれた可動ストッパー、この可動ストッパーを介して可動枠部材の規制を解消するラッチ用仮施錠の解錠機構を備えたプッシュ・プル錠に於いて、前記錠箱の前板の縦長嵌合孔に嵌合突起が位置するように錠箱内に固定した枠状支持片を介してスライド片を上下動自在に設け、該スライド片を所定位置まで移動させると、スライド片の後壁が同調部材の先端部に対向して、該同調部材の前進が阻止され、本来的なプッシュ・プル仕様から片面的仕様態様に切り替わることを特徴とするプシュ・プル錠。
【請求項４】
請求項３に於いて、スライド片は、後壁が第２摺動体の先端部に対向し得る長杆状部分を有し、また、該長杆状部分の側壁に圧接するクリックボールを有するストッパー部材が枠状支持片に組み込まれていることを特徴とするプシュ・プル錠。
【手続補正２】
【補正対象書類名】明細書
【補正対象項目名】全文
【補正方法】変更
【補正の内容】
【発明の詳細な説明】
【技術分野】
【０００１】
本発明は、プシュ・プル錠に関し、特に扉の開扉時に内外の操作ハンドルをそれぞれプル又はプッシュすると、錠箱内のラッチの係止解除機構により、ラッチ用施錠片がロック解除の方向へ回転するプシュ・プル錠に関する。
【背景技術】
【０００２】
特許文献１、特許文献２には、「扉の取付け場所（例えばドアクローザが必要ない室内扉）を考慮し、ユーザーが錠箱の前板から見える回動ボタンの操作部を操作すると、プッシュ・プル仕様から片面的仕様（プル仕様、又はプッシュ仕様）へと切り換るプッシュ・プル錠の具体的構成」が開示されている。
【０００３】
これらの発明は、例えばトイレ、寝室等の室内扉の操作ハンドルをプッシュして当該室内側（向こう側）へ勢い良くプッシュして開扉する場合、また、勝手口の扉を室内側の操作ハンドルを操作して室外側へとプッシュして開扉する場合に於いて、ドアクローザが建具に取付けられていないときに有益である。
【０００４】
その理由は、プッシュ・プル仕様から片面的仕様（例えばプル仕様）に切り換えると、扉を開ける場合には、一旦手前側にプル操作して扉を開ける必要があるから、扉を向こう側或いは室外側へ勢い良く開扉する事態（お年より等がバランスを崩すこと）を極力防ぐことができるからである。
【０００５】
ここで、後述する本願発明との対比上、特許文献１に記載の発明を、図１乃至図７を参照にして説明する。なお、特許文献１には、その構成及び作用が詳細に記載されているが、公報を援用することは禁止されているので、ここで、第１実施例について説明する。
【０００６】
（ａ）従来の第１実施例
図１乃至図７は、特許文献１の第１実施例を示す各説明図である。まず、図１は発明を構成する環境全体を示す。この図１に於いて、Ｘは錠箱の上部空間に配設されたラッチの係止解除機構、Ｙは錠箱の下部空間に配設されたサムターン錠の締め出し防止機構、１は戸枠、２は受け金具、３は受け金具の縁、４は扉、５は扉の自由端部内に設けた錠前（プッシュ・プル錠）、６は錠箱、７は錠箱の前板、８はラッチ枠部である。
【０００７】
前記錠箱６には、前板７に対して回動可能に設けられた回動ボタン４０を回動操作すると、プッシュ・プル錠におけるラッチ施錠片の解除態様が、プッシュ・プル仕様又はプル仕様のいずれかに切り替わるラッチの係止解除機構Ｘと、開扉の時に不注意によりラッチを施錠した状態で扉を閉めた時にラッチの施錠状態が自動的に解錠状態となるサムターン錠の締め出し防止装置Ｙとが設けられている。
【０００８】
（ｂ）図２−錠箱６の構成
次に、図２は錠箱６の構成を示す。また、図３はラッチ枠部８、ラッチ３０、ラッチ作動杆３３等を示す。これら図２、図３に於いて、６ａはケース身、６ｂはケース蓋、７は前板（裏板７ａとフロント７ｂ）、８はラッチ枠部、９は前板７の中央部に形成された開口窓である。
【０００９】
前記ラッチ枠部８は、図３で示すように、上壁８ａと、下壁８ｂ、後壁８ｃとを有する端面コ字型形状である。そして、前記上壁８ａにはラッチの係止解除機構Ｘを構成するラッチ施錠片（第１施錠片）６０用の第１受入れ孔１０が形成され、一方、下壁８ｂには、第２施錠片７１用の第２受入れ孔１１が形成されている。また、第１・第２受入れ孔１０，１１は、開口窓９側から前記後壁８ｃに向かって形成された水平長孔である。またラッチ枠部８の後壁８ｃの一側壁には、上下方向の一部に作動杆３３用の切欠部１２が形成されている。
【００１０】
図２に戻って、１４は前板７に形成された回動ボタン用の支持部（嵌合孔）で、この嵌合孔１４の後方には、前板７に所要間隔離間して垂直状態の受け片１５が突設されている。
【００１１】
また、１６は前記受け片１５を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー用の下方水平案内部である。
【００１２】
また、１８はサムターンダルマ用軸孔、２０は錠箱６の上部側に形成された操作ハンドルに連動する、或いは操作ハンドルの水平軸に一体的に固定された押圧片４８，４９用の矩形状窓孔である。
【００１３】
さらに、錠箱６には固定軸が複数個配設されている。固定軸を上方から順番に説明すると、２１は第１固定軸、２２は第２固定軸、２３は第３固定軸、２４は第４固定軸、そして、２５は錠箱の底壁の中央部に設けられた第５固定軸である。
【００１４】
（ｃ）ラッチなど−図３
次に、図３に於いて、３０はラッチ、３０ａは開口縁３と摺接する衝止面、３０ｂ，３０ｂは回転軸機能、係合機能等を有する突起部、３０ｃ，３０ｃはラッチの後端部、３１は後端部に形成されバネ端収納部である。
【００１５】
また、３２はラッチバネで、この一端部３２ａは、ラッチの作動杆３３の端面Ｌ型状先端部３４に圧接し、一方、その他端部３２ｂはラッチ枠部８の後壁８ｃ内面に圧接する。
【００１６】
また、３３はラッチの作動杆、３４は作動杆の先端部、３４ａはラッチバネ３２の一端部３２ａを受けるバネ端支持壁、３４ｂは支持壁３４ａと交差する先端部一側壁、３５はラッチ枠部８の切欠部１２に案内される摺動壁である。しかして、前記バネ端支持壁３４ａの内壁面と後端部の前壁面との間には、バネ収納空間３６が設けられている。また前記後端部には、その後壁面の上端部寄りの部位から底壁面に向かって傾斜状の係合面３７ａを有する係合切欠部３７が形成されている。
【００１７】
（ｄ）回動ボタンなどー図４
次に、図４は主要部材を示す。４０は前板７に対して回動可能に設けられた回動ボタンである。４１は周胴部で、この周胴部４１は錠箱６の裏板７ａの内壁面と受け片１５の空間部に位置する。４２は周胴部４１の外周壁面に半径方向に突設された羽状の１又は２以上のストッパー部で、このストッパー部４２は、回動ボタン４０の回転位置如何によって後述する第２摺動体４７の前進を規制する機能を果す。４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。４４は周胴部４１の後面に形成されたバネ支持部で、このバネ支持部４４は凹所状に形成されている。
【００１８】
また、４５はバネ支持部４４と受け片１５との間に設けられた押圧バネで、この押圧バネ４５は周胴部４１の前面を前板７の内壁面に押し付ける。
【００１９】
（ｅ）摺動体４６．４７などー図５
次に、図５は錠箱５の上方の収納空間に水平状態に配設されたプッシュ・プル用摺動体４６，４７と摺動体用付勢バネ５２を示す。なお、ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする（図１参照）。
【００２０】
まず、外枠の第１摺動体４６は、複数個の係合突起を介して錠箱６の上方水平案内部１６に水平動自在に設けられている。しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー５５用の切欠部５１が形成されている。さらに、前記前壁部４６ｄは摺動体用付勢バネ５２の一端部を受ける機能や受け片１５と当接する機能を有する。しかも、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００２１】
次に、内側の第２摺動体４７は、横長のコ時型形状に形成され、回動ボタン４０及び上下の押圧片４８，４９にそれぞれ関連付けられて（回動ボタン４０のストッパー部４２に対向可能、押圧片４８，４９に係合する意味）外枠第１摺動体４６内に水平動自在に設けられている。
【００２２】
しかして、４７ａは内側の上壁部、４７ｂは内側の下壁部、４７ｃは上下壁部４７ａ，４７ｂと直交する内側の後壁部、４７ｄは後壁部と対向するバネ受け用隔壁、４７ｅは回動ボタン４０のストッパー４２と関係する先端部である。
【００２３】
前記内側の上下壁４７ａ，４７ｂの先端部寄りの部位には、逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端部を受ける。したがって、摺動体用付勢バネ５２は、第１及び第２摺動体４６，４７内に組み込まれている。
【００２４】
（ｆ）揺動レバー５５など−図１
次に図１を参照にして揺動レバー５５等について説明する。５５は第２固定軸２２に軸支された揺動レバーである。この揺動レバー５５の上方のアーム部５６は、第１及び第２摺動体４６，４７の各切欠部５１，５４に係合している。一方、アーム部５６に連設する下方部分にはバネ受け部５７が形成されている。前記アーム部５６の先端部には係合突起５６ａが設けられ、この係合突起５６ａは、ラッチ用第１の施錠片６０の上辺部分と常に係合している。
【００２５】
また、５８は第２固定軸２２に巻装された揺動レバー用バネで、このバネ５８は揺動レバー５５のアーム部５６が常時第１及び第２摺動体４６，４７の各切欠部５１，５４に係合する方向へと付勢する。
【００２６】
また、６０は第１固定軸２１に軸支された長板状の第１の施錠片で、この第１の施錠片の先端部側には、ラッチ枠部８の第１受入れ孔１０から入り込んでラッチ３０の突起部３０ｂと係脱する幅広の第１係合部６１が設けられている。一方、第１の施錠片の後端部側には、第１摺動体４６の後端下部と当接する傾斜状の第２係合部６２が設けられている。
【００２７】
また、６３は第１固定軸２１に中央部が巻装された第１施錠片用バネで、この第１施錠片用バネ６３は、前記第１係合部６１がラッチ３０の突起部３０ｂに係合する方向へ常時付勢する。
【００２８】
（ｇ）作用の１−図６
前述したように、この実施例では、前板７の手前から図示しないドライバーの先を溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【００２９】
まず、図６は回動ボタン４０の羽状ストッパー部４２，４２が水平状態の場合、当該操作ハンドル（内外の操作ハンドル如何を問わない）を「プル（引く操作）」又は「プッシュ（押す操作）」した場合である。この場合プッシュ・プル錠は、本来的意味でのプッシュ・プル仕様である。
【００３０】
すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００３１】
図１、図６に於いて、回動ボタン４０の羽状ストッパー部４２，４２が水平状態である。そこで、説明の便宜上、第１摺動体４６がプル用として機能した場合（プル用摺動体）、一方、第２摺動体４７がプッシュ用として機能した場合（プッシュ用摺動体）をその作用の一例として説明する。
【００３２】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００３３】
また、錠箱６の窓孔２０からは、内外の操作ハンドルの上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００３４】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００３５】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００３６】
一方、内側操作ハンドルのプシュ時には、今度は内側の第２摺動体４７が下方の押圧片４９に押されて図６矢印Ｂの方向に移動する。
【００３７】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００３８】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部４７ｅ，４７ｅは、回動ボタン４０の羽状ストッパー部４２，４２の上下にそれぞれ入り込む。
【００３９】
（ｈ）作用の２−図７
これに対して、図７は回動ボタン４０の羽状ストッパー部４２，４２が垂直状態である。この場合には、プッシュ・プル錠におけるラッチ施錠片６０の解除態様が、プッシュ・プル仕様から、いずれか一方の仕様（例えばプル仕様）に切り替わる。
【００４０】
この実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動ポタン４０の羽状ストッパー部４２，４２に阻まれるので、プッシュ操作でのラッチ施錠片６０の係合解除は不可ということになる。
【００４１】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様）ということになる。なお、また、締め出し防止装置Ｙについての説明は割愛する。
【特許文献１】特開２００４−２１１５２９号公報
【特許文献２】特開２００４−２２５３８４号公報
【特許文献３】特開２００２−１２９７９６号公報
【発明の開示】
【発明が解決しようとする課題】
【００４２】
本発明の第１の目的は、エンドユーザーが、プッシュ・プル仕様と、片面的仕様（プル仕様、又はプッシュ仕様）とを、自由に選択することができること。第２の目的は、規制対象の摺動体（第１実施例）又は同調部材（第２実施例）の所定方向への移動を確実に阻止することができると共に、スライド片を安定的に上下動させ、かつ、所定位置に停止させることができること。第３の目的は、摺動体や同調部材の先端部の形状に関する設計の自由度を高めること。第４の目的は、実施例によっては、指先で片面的仕様態様に変換することができることである。
【課題を解決するための手段】
【００４３】
本発明のプシュ・プル錠は、押圧片によって移動可能な第１摺動体と第２摺動体を錠箱内に設け、スライド片４０Ａを所定位置まで移動させると、該スライド片４０Ａの後壁が第２摺動体４７の先端部に対向して該第２摺動体の前進が阻止され、本来的なプッシュ・プル仕様からプル仕様、又はプッシュ仕様というような片面的仕様態様に切り替わることを特徴とするプシュ・プル錠。
【００４４】
また、本発明のプシュ・プル錠は、ハンドルをプル又はプッシュすると、錠箱６Ａ内に突出するハンドル側の揺動片５１Ａの駆動力により、かつ、付勢手段４０Ａの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠に於いて、前記錠箱６Ａの前板７Ａの縦長嵌合孔１４Ａに嵌合突起４３Ａが位置するように錠箱内に固定した枠状支持片８１を介してスライド片４０Ｂを上下動自在に設け、該スライド片４０Ｂを所定位置まで移動させると、スライド片４０Ｂの後壁が同調部材３９Ａの先端部に対向して、該同調部材３９Ａの前進が阻止され、本来的なプッシュ・プル仕様からプル仕様、又はプッシュ仕様というような片面的仕様態様に切り替わることを特徴とする。
【発明の効果】
【００４５】
以上の説明から明らかなように、本発明にあっては、次に列挙するような効果がある。
（１）請求項１、請求項３に記載の発明は、エンドユーザーが建物の扉の取付け場所を考慮し、プッシュ・プル仕様と、片面的仕様（プル仕様、又はプッシュ仕様）とを、自由に選択することができる。
（２）上記（１）に於いて、錠箱の前板から見えるスライド片を所定位置へと操作するだけで、例えばプッシュ・プル仕様から片面的仕様に、又は片面的仕様から本来的なプッシュ・プル仕様に簡単に切替えることができる。
（３）請求項２、請求項４に記載の発明は、規制対象の摺動体（第１実施例）又は同調部材（第２実施例）の所定方向への移動を確実に阻止することができると共に、スライド片を安定的に上下動させ、かつ、所定位置に停止させることができる。また、スライド片は長杆状部分を有するので、摺動体や同調部材の先端部の形状に関する設計の自由度を高めることができる。
（４）実施例によっては、指先で片面的仕様態様に変換することができる。
【発明を実施するための最良の形態】
【００４６】
まず、図８乃至図１３を参照にして、本発明の第１実施例を説明する。なお、本発明の各実施例の説明に当たって、従来の実施例と同一又は同様（機能が同一）の部分には、同一又は同様の符号を付し、重複する説明を省略する。
【００４７】
この第１実施例が、例えば前記従来の一実施例（公知例）と異なる点は、次の通りである。
【００４８】
（１）従来の仕様変換部材は、操作部としての嵌合突起４３が前板７の嵌合孔１４に回転自在に設けられた回動ボタン４０であるのに対して、この実施例の仕様変換部材４０Ａは、操作部としての嵌合突起４３Ａが前板７Ａの縦長嵌合孔１４Ａに摺動自在に設けられたスライド片であること。しかも、スライド片４０Ａは、操作部４３Ａに連設する長杆状部分（縦長柱）８４を有し、該縦長柱８４の後壁８４ａが第２摺動体４７の先端部４７ｅに対向し得ること。
【００４９】
（２）また、前板７Ａの裏板７ａには、スライド片４０Ａを案内する枠状支持片８１が固定されていること。
【００５０】
（３）さらに、前記枠状支持片８１には、スライド片４０Ａの長杆状部分８４の両側壁８４ｂにそれぞれ圧接するクリックボール８７を有するストッパー部材８２が設けられていることである。
【００５１】
しかして、スライド片４０Ａは、本実施例では、前述した操作部（嵌合突起）４３Ａと、該嵌合突起４３Ａに連設し、かつ、裏板７ａに面接触する縦長フランジ８３と、該縦長フランジ８３に連設すると共に、内側の第２摺動体４７に対してストッパー（移動阻止）機能を発揮することができる長杆状部分８４とを有する。
【００５２】
そして、前記長杆状部分８４の中央部（中央部寄りの部位も含む）には、その後壁（背面）８４ａから正面に向かって（裏板７ａ方向に）第２摺動体４７の下方先端部４７ｅ用の貫通状受け入れ部分８５が形成されている。また、長杆状部分８４の左右の両側壁８４ｂには、上下方向に所要間隔を有して小さな係合凹所８６が複数個（それぞれ２個）形成されている。
【００５３】
一方、前記枠状支持片８１の左右の対向壁部８１ａには、ストッパー部材８２を構成するクリックボール８７と、クリックバネ８８とをそれぞれ嵌め込むための貫通状収納孔８９が形成されている。そして、収納孔８９に組み込まれた前記クリックバネ８８は、該収納孔８９に螺合するオネジ９０で支持され得る。
【００５４】
上記構成に於いて、図１２は図６と同様のプッシュ・プル仕様時の作動状態の説明図である。この場合、長杆状スライド片４０Ａは、例えば下方に位置していることから、第２摺動体４７が上下の押圧片４８，４９にそれぞれ押圧されると、その上方先端部４７ｅはスライド片４０Ａの上面側空間に、一方、下方先端部４７ｅは受け入れ部分８５に入り込むことが可能である。つまり、第２摺動体４７は矢印Ａ方向へ移動可能である。
【００５５】
これに対して、図１３は図７と同様の片面的仕様（例えばプル仕様）時の作動状態の説明図である。この場合、従来の実施例と同様に、嵌合突起４３Ａの工具用溝４３ａを利用して、又は工具が傍にない場合には指を嵌合突起４３Ａの下方に掛けて、スライド片４０Ａを上方に持ち上げる。そうすると、スライド片４０Ａは前板７Ａ、枠状支持片８１及び受け片１５に「３点」で支持された状態で上方に案内される。
【００５６】
そして、縦長嵌合孔１４Ａを形成する上方縁に嵌合突起４３Ａの上面が当たった所定位置にて、ストッパー部材（付勢手段）８２で落下しないように支持される。このように、片面的仕様へと変換する場合、従来は回転タイプであるのに対して、本発明の実施例は、スライドタイプである。したがって、仮にドライバー等の工具が存在しない場合であっても、その場で、しかも指１本で直ちに片面的仕様へと簡単に変換可能である。
【００５７】
なお、細部的事項であるが、第１実施例に於いて、外側の第１摺動体４６の先端部の長さ及びラッチ施錠片６０の第１係合部６１の形状は、スライド片４０Ａと衝突しないように適宜に設計変更されている。
【００５８】
次に、図１４乃至図１９を参照にして、本発明の第２実施例を説明する。第２実施例は、特許文献２、特許文献３に記載の錠前に本発明を適用したものである。したがって、第２実施例は、錠前５Ａの構造が相違する点及びスライド片４０Ｂが多少シンプルな構成となっている点を除き、第１実施例と発明の本質的事項は同一である。
【００５９】
なお、第１実施例と同一の部分には同一の符号を付して重複する説明を割愛する。また、第２実施例の錠前５Ａの構成・作用を説明するにあたって、特許文献２、特許文献３と同一の部分には、同様の符号（例えばＡを付加）を用いることにする。
【００６０】
したがって、１Ａは戸枠、２Ａは受け金具、３Ａは縁、４Ａは扉、５Ａは錠前（プッシュ・プル錠）、７Ａは前板等である。また、１６Ａは揺動片（押圧片）用の窓、３２Ａは可動枠部材、３３Ａはラッチロッド、３４Ａはラッチ用支持ブロック、３５Ａはラッチ等である。さらに、４０Ｂはスライド片、４３Ａは嵌合突起、１４Ａは縦長嵌合孔、８１は枠状支持片等である。
【００６１】
さて、第２実施例の錠前５Ａの錠箱６Ａ内には、プッシュ及びプルの操作が可能な内側ハンドルを操作すると、該ハンドル側の揺動片（押圧片）５１Ａの駆動力によって左右（フロント側又はケースの後壁側）にそれぞれ水平移動する一つの同調部材３９Ａ（枠状摺動部材）と、この同調部材３９Ａが水平動すると、該同調部材の上方に配設された板状係合保持部材４１Ａを介して係合解除の方向（上方方向）に内装ばね４８Ａのバネ力に抗して持ち上げられる可動ストッパー３８Ａと、該可動ストッパー３８Ａによって規制が解消され、かつ、反転式のラッチ３５Ａの回動に伴い、後方配設のばね部材３７Ａのバネ力に抗して錠箱６Ａの後壁側へラッチロッド３３Ａを介して後退する枠状可動枠部材３２Ａが組み込まれている。
【００６２】
前記ラッチ３５Ａの仮施錠時（可動ストッパー３８Ａが上方の内装バネ４８Ａのバネ力により下方に下降している場合）に於いて、同調部材３９Ａは、錠箱Ａ６の下部に左右対称に配設された付勢手段４０Ａ（可動ブロック４０ａ，付勢ばね４０ｂ）の付勢ばね４０ｂのバネ力により、可動枠部材３２Ａに間接的に係合する位置へと自動的に復帰する。この時、前記可動ストッパー３８Ａは下降しており、係合保持部材４１Ａの先端係合部は、逆コ字型状の同調部材３９Ａの上壁面に形成された凹所状の被係合部に係合する。
【００６３】
上記構成に於いて、可動ストッパー３８Ａは、可動枠部材３２Ａに設けた係止部と係脱されると共に、係止部と係合することにより可動枠部材３２Ａの移動を規制してラッチ３５Ａを仮施錠状態にロックする。
【００６４】
したがって、この錠前５Ａは、図示しないハンドルをプル又はプッシュすると、錠箱６Ａ内に突出するハンドル側の揺動片５４Ａの駆動力により、かつ、付勢手段４０Ａの付勢力に抗して水平移動する同調部材３９Ａ、この同調部材３９Ａに連動するようにラッチロッド３３Ａに案内される可動枠部材３２Ａ内に組み込まれた可動ストッパー３８Ａ、この可動ストッパー３８Ａを介して可動枠部材３２Ａの規制を解消するラッチ用仮施錠の解錠機構を備えたプッシュ・プル錠である。
【００６５】
そして、本発明は、前記錠箱６Ａの前板７Ａの縦長嵌合孔１４Ａに、枠状支持片８１を介して仕様変換部材（スライド片）４０Ｂを設けている。このスライド片４０Ｂは、前述した同調部材３９Ａの突起状先端部３９ａが一つであることから、第１実施例のスライド片の如く貫通状受け入れ部分８５を有しない点を除き、その余は同一構成である。
【００６６】
したがって、図１９で示すように、スライド片４０Ｂを持ち上げると、前記同調部材３９Ａの前進が阻止され、本来的なプッシュ・プル仕様からプル仕様というような片面的仕様態様に切り替わる。このように錠前の構成を変えても、本発明の本質的事項は左右されない。
【実施例】
【００６７】
第１実施例及び第２実施例に於いて、スライド片４０Ａ，４０Ｂの嵌合突起（操作部）４３Ａには、工具用の溝（プラス溝、マイナス溝）４３ａが形成されているが、この溝４３ａは、発明の本質的事項ではない。その理由は、操作部（嵌合突起）４３Ａに指を掛けることができる実施例の場合には、工具ではなく、直接指先でスライド片４０Ａ，４０Ｂを上下動させることが可能だからである。
【００６８】
また、工具を利用してスライド片４０Ａ，４０Ｂを上げ下げする場合には、前板７Ａに形成した縦長嵌合孔１４Ａの形状を凸型形状にすると、該縦長嵌合孔１４Ａ並びに嵌合突起（操作部）４３Ａの幅や形状を任意に設計変更可能である。
【００６９】
要は、スライド片４０Ａ，４０Ｂは、その操作部４３Ａが前板７Ａの縦長嵌合孔１４Ａに嵌合し、かつ、操作部４３Ａに連設する長杆状部分８４が摺動体或いは同調部材に対向可能であり、スライド片４０Ａ，４０Ｂが所定位置へとスライドした場合には、前記摺動体或いは同調部材が前板７Ａ側に移動できなくなれば良い。
【００７０】
図２０は、第１実施例の長杆状のスライド片４０Ａの長さ、配設位置、移動量、摺動体の位置等を一部設計変更した一例である。この変更例のスライド片４０Ｃは、第２実施例のスライド片４０Ｂと同一構成であり、例えば前板７Ａの上部に形成した縦長嵌合孔１４Ａにその操作部４３Ａが嵌合し、縦長柱８４が錠箱６内に固定した枠状支持片８１を介して上下動自在に設けられている。したがって、スライド片４０Ｃは、先端部４７ｅ用の受け入れ部分８５を有さず、シンプルな形態となっている。
【図面の簡単な説明】
【００７１】
図１乃至図７は、従来の実施例を示す各説明図。図８乃至図１３は、本発明の第１実施例を示す各説明図。図１４乃至図１９は、本発明の第２実施例を示す各説明図。図２０は第１実施例のスライド片の変形例。
【図１】扉の閉戸時における本来的なプッシュ・プル仕様態様を示す概略説明図。
【図２】ケース身を主とした錠箱の説明図。
【図３】ラッチ、ラッチ枠部、作動杆等の説明図。
【図４】回動ボタン等の説明図。
【図５】第１・第２摺動体等の説明図。
【図６】プッシュ・プル仕様時の作動状態の説明図。
【図７】片面的仕様（例えばプル仕様）時の作動状態の説明図。
【図８】本発明の第１実施例を示す図１と同様の概略説明図。
【図９】図８に於いて、主要部の拡大図。
【図１０】主要な部材（スライド片、枠状支持片、ストッパー部材）の分解斜視図。
【図１１】前板、スライド片、摺動体との関係を示す概略説明図。
【図１２】図６と同様のプッシュ・プル仕様時の作動状態の説明図。
【図１３】図７と同様の片面的仕様（例えばプル仕様）時の作動状態の説明図。
【図１４】本発明の第２実施例を示す図１と同様の概略説明図。
【図１５】図９と同様の拡大図。
【図１６】図１０と同様の分解斜視図。
【図１７】図１１と同様の概略説明図。
【図１８】図６と同様のプッシュ・プル仕様時の作動状態の説明図。
【図１９】図７と同様の片面的仕様（例えばプル仕様）時の作動状態の説明図。
【図２０】第１実施例のスライド片の変形例を示す概略説明図。
【符号の説明】
【００７２】
Ｘ…ラッチの係止解除機構、１，１Ａ…戸枠、２，２Ａ…受け金具、３，３Ａ…縁、４，４Ａ…扉、５、５Ａ…錠前（プッシュ・プル錠）、６，６Ａ…錠箱、７，７Ａ…前板、７ａ…裏板、８…ラッチ枠部、９…開口窓、１４…嵌合孔、１４Ａ…縦長嵌合孔、１５…受け片、１６Ａ…揺動片（押圧片）用の窓、２０…窓孔、２１〜２５…固定軸、３０…ラッチ、３２…ラッチバネ、３３…作動杆、３７…係合切欠部、３７ａ…係合面、４０…回動ボタン、４０Ａ，４０Ｂ，４０Ｃ…仕様変換部材（スライド片）、４１…周胴部、４２…ストッパー部、４４…バネ支持部、４５…押圧バネ、４６…第１摺動体、４７…第２摺動体、４８，４９…押圧片、５１，５４…揺動レバー用の切欠部、５５…揺動レバー、５６…アーム部、５８…揺動レバー用バネ、６０…ラッチ用施錠片、６１…第１係合部、６２…第２係合部、６３…施錠片用バネ、４３Ａ…操作部（嵌合突起）、４３ａ…工具用溝、８１…枠状支持片、８２…ストッパー部材、８８…クリックバネ、９０…オネジ、８３…縦長フランジ、８４…縦長柱（長杆状部分）、８９…貫通状収納孔、４７ｅ…摺動体の先端部、８５…貫通状受け入れ部分、８６…小さな係合凹所、３２Ａ…可動枠部材、３３Ａ…ラッチロッド、３４Ａ…ラッチ用支持ブロック、３５Ａ…ラッチ、３８Ａ…可動ストッパー、５１Ａ…揺動片（押圧片）、３９Ａ…同調部材（枠状摺動部材）、３９ａ…突起状先端部、４０Ａ…付勢手段４０Ａ、４０ａ…可動ブロック，４０ｂ…付勢ばね、４１Ａ…係合保持部材。